(57)【要約】      （修正有）【課題】陽極の回転軸ぶれを生じることなく、転がり軸受から生じる異物の飛散を防止することのできるＸ線管を提供する。【解決手段】異物を付着するための磁化領域４０、４１ａ、４１ｂを、２つの転がり軸受２６ａ、２６ｂの中心面６１に対して対称に配置し、磁化領域４０、４１ａ、４１ｂとコイルの磁束との間に働く磁気的吸引力または反発力５０、５１ａ、５１ｂを中心面６１に対して対称に生じさせることにより、回転軸２４の傾きやセンターずれを補正する。【選択図】図７
2014154497.tif 000002
【特許請求の範囲】
【請求項１】
陰極と、陽極と、前記陰極と陽極を収容する外囲器とを有し、
前記陽極は、円板状のターゲットと、前記ターゲットに接続された筒状のロータと、前記ロータの内側に配置され、前記ロータに接続された回転軸と、前記ロータと前記回転軸との間の空間に配置された筒状の固定部と、前記固定部と前記回転軸の間に配置され、前記回転軸を前記固定部に対して回転可能に支持する２つの軸受けと、前記２つの軸受けの間に配置された間座とを有し、
前記軸受は、前記回転軸の軸方向に離れた位置にそれぞれ配置され、
前記回転軸の外周面、前記固定部の内周面および前記間座の少なくとも一つには、１以上の磁化領域が設けられ、
前記１以上の磁化領域は、前記２つの軸受の間の、前記２つの軸受けから等しい距離に位置する面に対して、対称に配置されていることを有することを特徴とするＸ線管装置。
【請求項２】
請求項１に記載のＸ線管装置において、前記磁化領域のうちの１つは、前記２つの軸受けの間の、前記回転軸の外周面または前記固定部の内周面に配置され、前記２つの軸受けから等しい距離に位置する前記面に対して対称な形状を有することを特徴とするＸ線管装置。
【請求項３】
請求項２に記載のＸ線管装置において、前記２つの軸受けの間に配置される磁化領域の磁化の向きは、前記２つの軸受けから等しい距離に位置する面に対して対称であることを特徴とするＸ線管装置。
【請求項４】
請求項１に記載のＸ線管装置において、前記磁化領域のうちの２つは、前記回転軸の軸方向について前記２つの軸受けよりも外側の、前記回転軸の外周面または前記固定部の内周面に配置され、前記２つの軸受けから等しい距離に位置する前記面に対して対称な形状を有することを特徴とするＸ線管装置。
【請求項５】
請求項４に記載のＸ線管装置において、前記２つの軸受けよりも外側に配置される２つの磁化領域の磁化の向きは、前記２つの軸受けから等しい距離に位置する前記面に対して対称であることを特徴とするＸ線管装置。
【請求項６】
請求項１に記載のＸ線管装置において、前記磁化領域のうちの１つは、前記間座に配置され、前記２つの軸受けから等しい距離に位置する前記面に対して対称な形状を有することを特徴とするＸ線管装置。
【請求項７】
請求項１に記載のＸ線管装置において、前記磁化領域は、永久磁石であることを特徴とするＸ線管装置。
【請求項８】
請求項１に記載のＸ線管装置において、前記磁化領域は、前記回転軸の外周面、前記固定部の内周面および前記間座の表面のうちの一部を着磁した領域であることを特徴とするＸ線管装置。
【請求項９】
請求項１に記載のＸ線管装置において、前記磁化領域が前記固定部の内周面および前記間座の表面に配置されている場合、前記回転軸は、少なくとも外周面が磁性体によって形成されていることを特徴とするＸ線管装置。
【発明の詳細な説明】
【技術分野】
【０００１】
本発明は、Ｘ線撮影装置等のＸ線管を備えた装置に関するものであり、特に、回転陽極型のＸ線管内の異物の浮遊を防止する構造に係わる。
【背景技術】
【０００２】
Ｘ線管を搭載したＸ線管装置は、Ｘ線管が発生したＸ線を被検体に照射し、被検体を透過したＸ線の線量を測定し、その測定線量に基づいてＸ線画像を作成する装置であり、Ｘ線画像を用いて被検体の検査や診断を行う用途に用いられる。例えば、Ｘ線管装置は、医療の分野ではＸ線透視装置やＸ線撮影装置等として、また工業用の分野では、種々の製品の欠陥検査や異物検査等として、広く利用されている。
【０００３】
Ｘ線管は、陰極から放出された電子を陽極に衝突させてＸ線を放出させる。陰極と陽極との間には十数万Ｖの高電圧がかけられる。このため、陰極と陽極が収容されるＸ線管球内は真空に保たれ、陰極と陽極間の絶縁性を高めている。
【０００４】
Ｘ線管球内に異物が浮遊していると、浮遊物を起点に放電を起こしてしまうため、異物がＸ線管球内に飛び散らないような構造が、例えば特許文献１に開示されている。特許文献１に開示されている構造は、陽極の回転軸を固定部に対して回転可能に支持する転がり軸受の摩耗粉や潤滑剤等の異物がＸ線管球内に飛散しないようにするために、転がり軸受の近傍の空間を塞ぐキャップを取り付け、異物の移動をキャップにより防ぐ。また、キャップを磁性体により形成し、磁性を帯びた異物をキャップに付着させることも開示されている。
【先行技術文献】
【特許文献】
【０００５】
【特許文献１】特開２００６−１７９２３１号公報
【発明の概要】
【発明が解決しようとする課題】
【０００６】
しかしながら、特許文献１に記載の構造は、転がり軸受近傍の小さな空間を塞ぐキャップを用いるため、部品点数が増える。また、形状精度の高い小さなキャップを製造して、陽極の回転軸の回転や転がり軸受のアライメントに影響を与えないように、精度よく取り付ける必要があり、製造工程が複雑になる。さらに、陽極の回転軸の軸ぶれを生じさせないように、キャップの配置を設計する必要がある。
【０００７】
本発明の目的は、単純な構成で、２つの転がり軸受から生じる異物の飛散を防止し、かつ、陽極の回転軸ぶれを抑制することのできるＸ線管装置を提供することにある。
【課題を解決するための手段】
【０００８】
本発明では、２つの軸受の近傍に磁化した領域を１以上設ける。磁化する領域は、２つの軸受から等しい距離に位置する面に対して対称に配置する。
【０００９】
具体的には、本発明のＸ線管装置は、陰極と、陽極と、陰極と陽極を収容する外囲器とを有する。陽極は、円板状のターゲットと、ターゲットに接続された筒状のロータと、ロータの内側に配置され、ロータに接続された回転軸と、ロータと回転軸との間の空間に配置された筒状の固定部と、固定部と回転軸の間に配置され、回転軸を固定部に対して回転可能に支持する２つの軸受けと、２つの軸受けの間に配置された間座とを備えている。２つの軸受は、回転軸の軸方向について離れた位置に配置されている。回転軸の外周面、固定部の内周面および間座の少なくとも一つには、１以上の磁化領域が設けられている。１以上の磁化領域は、２つの軸受けから等しい距離に位置する面に対して、対称に配置されている。
【発明の効果】
【００１０】
このような配置により、軸受けから脱落した異物を磁化領域に付着させるだけでなく、磁化領域とコイルの磁界との間に働く磁気的吸引力または反発力を、２つの転がり軸受から等距離にある面に対して、対称に生じさせることができる。これにより、２つの転がり軸受から生じる異物の飛散を防止し、かつ、陽極の回転軸ぶれを抑制することができる。
【図面の簡単な説明】
【００１１】
【図１】実施形態のＸ線管装置のブロック図。
【図２】図１のＸ線管の陽極の一部断面図。
【図３】図２の陽極に印加される磁界の方向を示す説明図。
【図４】図２の陽極から異物が移動する流れを示す説明図。
【図５】第１の実施形態の磁化領域４０と磁気的吸引力（または反発力）を示す説明図。
【図６】第２の実施形態の磁化領域４１ａ，４１ｂと磁気的吸引力（または反発力）を示す説明図。
【図７】第３の実施形態の磁化領域４０、４１ａ，４１ｂと磁気的吸引力（または反発力）を示す説明図。
【図８】第４の実施形態の磁化領域４２と磁気的吸引力（または反発力）を示す説明図。
【図９】第５の実施形態の磁化領域４３ａ，４３ｂと磁気的吸引力（または反発力）を示す説明図。
【図１０】第６の実施形態の磁化領域４２、４３ａ，４３ｂと磁気的吸引力（または反発力）を示す説明図。
【図１１】第７の実施形態の磁化領域４４と磁気的吸引力（または反発力）を示す説明図。
【発明を実施するための形態】
【００１２】
本発明の一実施形態のＸ線管装置について図面を用いて説明する。
【００１３】
図１にＸ線管装置の全体構成のブロック図を示す。Ｘ線管装置は、筐体１の内部に、Ｘ線管１０と、Ｘ線管１０の陽極を回転駆動する磁界を発生するためにＸ線管１０の周囲に配置されたコイル３とを備えている。筐体１には、Ｘ線管１０から放射されたＸ線を透過させるための放射窓４が備えられている。筐体１とＸ線管１０との間の空間には、電気的絶縁性を保つための液体が満たされている。
【００１４】
Ｘ線管１０は、陰極１２と、陰極１２と対向して配置された陽極１４と、陰極１２と陽極１４を真空気密に収容する外囲器１６とを備えている。外囲器１０内の空間は真空に維持されている。
【００１５】
陰極１２は、陽極１４に向けて電子線を発生する部分であり、熱電子を放出するフィラメント（不図示）と、熱電子を電子線に集束する集束電極１２ａと、集束電極１２ａを支持する支持体１２ｂとを含む。フィラメントは、集束電極１２ａ内に収容されている。
【００１６】
図２に陽極１４の断面図を示す。陽極１４は、陰極１２からの電子線が衝突してＸ線を発生する円盤状のターゲット２０と、ターゲット２０の裏面に固定された蓄熱体２１と、ターゲット２０に固定された円筒状のロータ２２と、ロータ２２の内部に配置され、ロータ２２に固定された回転軸２４と、回転軸２４とロータ２２との間の空間に挿入された円筒状の固定部２８と、固定部２８に対して回転軸２４を回転自在に支持する２個の転がり軸受２６ａ、２６ｂとを備えて構成される。また、２個の転がり軸受２６ａ、２６ｂの間には、これらの間隔を保つための円筒状の間座３１が挿入されている。固定部２８の端部２８ｂは、外囲器１６に接続され、陽極電位が給電される。
【００１７】
ターゲット２０は、円盤の上面が傾斜しており、この傾斜した部分は、タングステンやタングステン合金などの高融点金属で構成されている。ターゲット２０の傾斜した部分に陰極１２からの電子線が照射されることにより、Ｘ線が放射される。
【００１８】
ロータ２２は、非磁性の金属（例えば、Ｃｕ）により構成されている。固定部２８は、非磁性金属（例えば、ＣｕやＭｏ）で構成された本体の外周表面を、磁性体部材（Ｆｅ等）２８ａで覆った構成である。図３のように、コイル３から陽極１４の回転軸２４に向かう磁界７１が発生すると、磁界７１は、透磁率の高い磁性体部材２８ａに向かい、磁性体部材２８ａを磁路として通過し、磁性体部材２８ａの端部からコイル３に戻る。これにより、ロータ２２には誘導電流が流れ、磁界７１を陽極１４の回転軸２４を中心に移動させることにより、ロータ２２が回転する。
【００１９】
ロータ２２の回転に伴い、ターゲット２０が回転するため、陰極１２からの電子線のターゲット２０上の照射位置を移動させることができる。
【００２０】
回転軸２４は、高速度鋼により形成されている。間座３１は、例えば、ステンレス鋼等により形成されている。
【００２１】
転がり軸受２６ａ、２６ｂは、玉軸受で、外輪とボール（転動体）と内輪を有し、高強度の鋼材から成る。転がり軸受２６ａ、２６ｂの内輪は、回転軸２４の外周に結合され、外輪は、固定部２８の内周に結合されている。なお、内輪または外輪の一方を省略し、回転軸２４の外周面または固定部２８の内周面にボール転送用の溝を設けることも可能である。外輪および内輪とボールとが接触する面には、潤滑剤が付着している。潤滑剤としては、銀や鉛などの軟質金属や二硫化モリブデンなどの潤滑性化合物を用いることができる。
【００２２】
Ｘ線発生時には陰極１２と陽極１４間に高電圧が印加され、ターゲット２０には、電子線が照射される。これにより、ターゲット２０には電子線による大きな熱入力が繰り返され、ターゲット２０は温度が変動しながら高温になる。転がり軸受２６ａ、２６ｂは、温度が絶えず変動する条件の下で長時間回転動作するため、転がり軸受１０８から磨耗粉が発生し、これが異物として脱落することがある。また、潤滑剤が溶融して流動体になって転がり軸受２６ａ、２６ｂの表面から異物として脱落し、摩耗粉と混じりあって異物を構成することもある。外囲器１０内の空間は真空気密になっているため、転がり軸受２６ａ、２６ｂからの異物が、図４の矢印のような経路を通り、陽極１４から外囲器１６内の空間に放出されて浮遊すると、放電を引き起こす可能性がある。
【００２３】
本実施形態では、転がり軸受２６ａ、２６ｂの近傍に磁化した領域を１以上設け、異物を付着させる。このとき、磁化する領域を、２つの転がり軸受２６ａ、２６ｂから等しい距離に位置する面（回転軸２４の回転中心軸に垂直な面）に対して対称に配置する。このような配置により、磁化した領域とコイル３の磁束との間に働く磁気的吸引力または反発力を、２つの転がり軸受２６ａ、２６ｂから等距離にある面に対して、対称に生じさせることができる。これにより、２つの転がり軸受２６ａ、２６ｂからの異物を磁化した領域に付着させることができるだけでなく、回転軸２４が回転の中心軸に対して傾いたり、センターずれを生じた場合に、これを補正する力（磁気的吸引力または反発力）を作用させることができる。よって、異物による放電を生じにくく、しかも陽極１４の軸ぶれを防止し、安定した回転を実現可能なＸ線管１０が得られる。
【００２４】
以下、磁化領域の配置の具体的について説明する。
【００２５】
（第１の実施形態）
図５を用いて、第１の実施形態の磁化領域４０を備えたＸ線管１０について説明する。
【００２６】
図５のように、回転軸２４の外周面には、２つの転がり軸受２６ａ、２６ｂの間に磁化領域４０が備えられている。磁化領域４０は、回転軸２４の周方向に沿って設けられ、２つの転がり軸受２６ａ、２６ｂから等距離にある面（以下、中心面と呼ぶ）６１に対して、対称な形状を有している。中心面６１は、回転の中心軸６２に対して垂直な面である。磁化領域４０は、２つの転がり軸受２６ａ、２６ｂからの距離が等しい。また、磁化領域４０内の磁化の向きは、中心面６１に対して対称である。
【００２７】
磁化領域４０は、回転軸２４の表面に周方向に沿って凹部に永久磁石を配置することによって形成することが可能である。回転軸２４を構成する鋼材の領域４０の部分を磁化することによって形成することも可能である。
【００２８】
２つの転がり軸受２６ａ、２６ｂから脱落した異物のうち摩耗粉等の磁性を帯びた異物は、磁化領域４０に付着する。これにより、Ｘ線管１０内の空間に異物が浮遊して放電の原因になるのを防止することができる。
【００２９】
また、磁化領域４０は、２つの転がり軸受２６ａ、２６ｂの間の中心面６１に対して、対称な形状を有しているため、磁化領域４０とコイル３の磁界との間に働く磁気的吸引力（または反発力）５０が、２つの転がり軸受２６ａ、２６ｂの間の中心面６１に対して対称に生じる。この力５０は、回転軸２４が回転の中心軸６２に対して傾いたり、センターずれを生じた場合に、これを補正する方向に作用するため、回転軸の軸ぶれを防止し、安定した回転を実現させることができる。
【００３０】
（第２の実施形態）
図６を用いて、第２の実施形態の磁化領域４１ａ、４１ｂを備えたＸ線管１０について説明する。
【００３１】
図６のように、回転軸２４の外周面には、中心面６１に対して、２つの転がり軸受２６ａ、２６ｂの両外側に磁化領域４１ａ、４１ｂが備えられている。２つの磁化領域４１ａ，４１ｂは、回転軸２４の周方向に沿って設けられ、２つの転がり軸受２６ａ、２６ｂからの距離が等しくなるように設けられている。また、磁化領域４１ａおよび４１ｂの磁化方向は、中心面６１に対して対称である。すなわち、磁化領域４１ａの磁化方向と磁化領域４１ｂの磁化方向は、同じ向きである。
【００３２】
磁化領域４１ａ，４１ｂは、回転軸２４の表面に周方向に沿って設けた凹部に永久磁石を配置することによって形成することが可能である。回転軸２４を構成する鋼材の領域４０の部分を着磁することによっても形成可能である。
【００３３】
２つの転がり軸受２６ａ、２６ｂから軸方向について外側に脱落した異物は、磁化領域４１ａ、４１ｂにそれぞれ付着する。これにより、Ｘ線管１０内の空間に異物が浮遊して放電の原因になるのを防止することができる。
【００３４】
また、磁化領域４１ａ，４１ｂは、２つの転がり軸受２６ａ、２６ｂの間の中心面６１に対して対称に配置されているため、磁化領域４１ａとコイル３の磁束との間に働く磁気的吸引力（または反発力）５１ａは、磁化領域４１ｂとコイル３の磁束との間に働く磁気的吸引力（または反発力）５１ｂと中心面６１に対して対称である。よって、力５１ａ，５１ｂは、回転軸２４が回転の中心軸６２に対して傾いたり、センターずれを生じた場合に、これを補正する方向に作用するため、回転軸の軸ぶれを防止し、安定した回転を実現させることができる。
【００３５】
（第３の実施形態）
図７を用いて第３の実施形態のＸ線管１０を説明する。第３の実施形態のＸ線管１０は、図７のように第１の実施形態の磁化領域４０と第２の実施形態の磁化領域４１の両方を備えている。
【００３６】
図７のＸ線管１０においては、転がり軸受２６ａ、２６ｂから中心面５１側に脱落した異物は、磁化領域４０に付着し、外側に脱落した異物は、磁化領域４１ａ，４１ｂに付着するため、異物がＸ線管１０内に浮遊するのをより効果的に低減できる。
【００３７】
また、磁化領域４０も磁化領域４１ａ，４１ｂも、中心面６１に対して対称に配置されているため、回転軸２４が回転の中心軸６２に対する傾きや、センターずれを補正する力を生じることができる。
【００３８】
転がり軸受２６ａ，２６ｂの間の領域は、転がり軸受２６ａ、２６ｂの両外側の領域よりも広いため、軸方向に長い磁化領域４０を配置しやすい。よって、転がり軸受２６ａ，２６ｂの間に位置する磁化領域４０の軸方向の長さを、両外側に位置する磁化領域４１ａおよび４１ｂのそれぞれの軸方向の長さより長くすることが好ましい。これにより、回転軸２４の傾きやセンターずれの補正の作用を効果的に生じさせることができる。
【００３９】
なお、磁化領域４０の生じる力５０と、磁化領域４１ａ，４１ｂの生じる力５１ａ、５１ｂは、必ずしも図７のように同じ向きでなくてもよく、力５０と力５１ａ，５１ｂが逆向きであってもよい。
【００４０】
（第４の実施形態）
図８を用いて、第４の実施形態の磁化領域４２を備えたＸ線管１０について説明する。
【００４１】
図８のように、固定部２８の内周面には、２つの転がり軸受２６ａ、２６ｂの間に磁化領域４２が備えられている。磁化領域４２は、固定部２８の内周方向に沿って設けられ、２つの転がり軸受２６ａ、２６ｂの間の中心面６１に対して、対称な形状を有し、２つの転がり軸受２６ａ、２６ｂからの距離が等しい。また、磁化領域４２内の磁化の向きは、中心面６１に対して対称である。
【００４２】
磁化領域４２は、固定部２８の内周面に周方向に沿って設けた凹部に永久磁石を配置することによって形成することが可能である。
【００４３】
磁化領域４２には、転がり軸受２６ａ，２６ｂから中心面６１側に脱落した異物が付着するため、Ｘ線管１０内に浮遊する異物を低減できる。
【００４４】
また、回転軸２４の少なくとも外周面を磁性体により構成することにより、磁化領域４２と回転軸２４との磁気的吸引力５２が生じる。また、回転軸２４の外周面を着磁している場合には、着磁の向きに応じて、力５２は、磁気的吸引力または反発力となる。磁化領域４２が中心面６１に対して対称な形状であるため、力５２は、中心面６１に対して対称である。よって、力５２は、回転軸２４の回転の中心軸６２に対する傾きや、センターずれを補正する作用をすることができ、回転軸２４の軸ぶれを防止し、安定した回転を実現させることができる。
【００４５】
（第５の実施形態）
図９を用いて、第５の実施形態の磁化領域４３ａ，４３ｂを備えたＸ線管１０について説明する。
【００４６】
図９のように、固定部２８の内周面には、２つの転がり軸受２６ａ、２６ｂの、中心面６１に対して外側にそれぞれ磁化領域４３ａ、４３ｂが備えられている。２つの磁化領域４３ａ，４３ｂは、固定部２８の周方向に沿って設けられ、２つの転がり軸受２６ａ、２６ｂからの距離が等しくなるように設けられている。また、磁化領域４３ａの磁化方向は、磁化領域４３ｂの磁化方向は、同じ向きであって、中心面６１に対して対称である。
【００４７】
磁化領域４３ａ，４３ｂは、固定部２８の内周面に周方向に沿って設けた凹部に永久磁石を配置することによって形成することが可能である。
【００４８】
磁化領域４３ａ，４３ｂには、転がり軸受２６ａ，２６ｂから外側に脱落した異物が付着するため、Ｘ線管１０内に浮遊する異物を低減できる。
【００４９】
また、回転軸２４の少なくとも外周面をを磁性体により構成することにより、磁化領域４３ａと回転軸２４との間に働く磁気的吸引力５３ａと、磁化領域４３ｂと回転軸２４とのの間に働く磁気的吸引力５３ｂが、中心面６１に対して対称に生じる。回転軸２４の外周を着磁している場合には、着磁の向きに応じて、力５３ａ，５３ｂは、磁気的吸引力または反発力となる。領域４３ａ，４３ｂの磁化の向きが、中心面５１に対して対称であるため、力５３ａ，５３ｂは中心面６１に対して対称に生じる。よって、力５３ａ，５３ｂは、回転軸２４の回転の中心軸６２に対する傾きや、センターずれを補正する作用をすることができる。これにより、回転軸２４の軸ぶれを防止し、安定した回転を実現させることができる。
【００５０】
（第６の実施形態）
図１０を用いて、第６の実施形態のＸ線管１０について説明する。第６の実施形態のＸ線管１０は、図１０のように、第４の実施形態の磁化領域４２と第５の実施形態の磁化領域４３ａ，４３ｂとを両方備えている。
【００５１】
図１０のＸ線管１０においては、転がり軸受２６ａ、２６ｂから中心面５１側に脱落した異物は、磁化領域４２に付着し、外側に脱落した異物は、磁化領域４３ａ，４３ｂに付着するため、異物がＸ線管１０内に浮遊するのをより効果的に低減できる。
【００５２】
また、回転軸２４の少なくとも外周面を磁性体により構成することにより、第４及び第５の実施形態で説明したように、磁化領域４２および磁化領域４３ａ，４３ｂと回転軸２４との間に生じる磁気的吸引力（または反発力）５２および５３ａ，５３ｂが、回転軸２４が回転の中心軸６２に対する傾きや、センターずれを補正する作用をするため、回転軸２４の軸ぶれを防止し、安定した回転を実現させることができる。
【００５３】
なお、磁化領域４２と回転軸２４との間の磁気的吸引力（または反発力）５２と、磁化領域４１ａ，４１ｂと回転軸２４との間の磁気的吸引力（または反発力）５３ａ、５３ｂは、必ずしも図１０のように同じ向きでなくてもよく、逆向きに生じさせるように磁化領域４２または４３ａ，４３ｂを着磁してもよい。
【００５４】
（第７の実施形態）
図１１を用いて、第７の実施形態の磁化領域４４を備えたＸ線管１０について説明する。
【００５５】
第７の実施形態では、間座３１の外周面に図１１のように磁化領域４４が備えられている。磁化領域４４は、２つの転がり軸受２６ａ、２６ｂの間の中心面６１に対して、対称な形状を有し、２つの転がり軸受２６ａ、２６ｂからの距離が等しい。また、磁化領域４２内の磁化の向きは、中心面６１に対して対称である。
【００５６】
磁化領域４４は、間座３１の外周面に周方向に沿って設けた凹部に永久磁石を配置することによって形成することが可能である。または、間座３１を磁性体材料によって形成し、磁化領域４４を着磁する構成としてもよい。
【００５７】
磁化領域４４には、転がり軸受２６ａ，２６ｂから中心面６１側に脱落した異物が付着するため、Ｘ線管１０内に浮遊する異物を低減できる。
【００５８】
また、回転軸２４の少なくとも外周面を磁性体により構成することにより、磁化領域４４と回転軸２４との磁気的吸引力５４が生じる。回転軸２４の外周を着磁している場合には、着磁の向きに応じて、力５４は、磁気的吸引力または反発力となる。磁化領域４４の形状が中心面６１に対して対称であるため、力５４は、中心面６１に対して対称に生じ、回転軸２４の回転の中心軸６２に対する傾きや、センターずれを補正する作用をすることができる。これにより、回転軸２４の軸ぶれを防止し、安定した回転を実現させることができる。
【００５９】
なお、図１１では、間座３１の外周面に磁化領域４４を設けているが、間座３１の内周面に磁化領域４４を配置することも可能である。
【００６０】
第７の実施形態の磁化領域４４に加えて、第１〜第６の実施形態のいずれかの磁化領域をさらに備えるＸ線管を構成することも可能である。
【００６１】
上述の実施形態においては、転がり軸受２６ａ、２６ｂを用いた場合について説明したが、転がり軸受に限定されるものではなく、異物が脱落する軸受であれば、滑り軸受や流体軸受け等の他の軸受けを用いた場合にも、異物低減および回転軸２４の軸ぶれ防止の作用を得ることができる。
【符号の説明】
【００６２】
１…筐体、３…コイル、１０…Ｘ線管、１２…陰極、１２ａ…集束電極、１２ｂ…支持部、１４…陽極、１６…外囲器、２０…ターゲット、２１…蓄熱体、２２…ロータ、２４…回転軸、２６ａ，２６ｂ…転がり軸受、２８…固定部、２８ａ…磁性体部材、３１…間座、４０、４１ａ，４１ｂ、４２、４３ａ、４３ｂ、４４…磁化領域、６１…中心面、５０、５１ａ，５１ｂ、５２、５３ａ、５３ｂ、５４…磁気的吸引力（または反発力）、６２…回転の中心軸
【図１】
2014154497.tif 000003
【図２】
2014154497.tif 000004
【図３】
2014154497.tif 000005
【図４】
2014154497.tif 000006
【図５】
2014154497.tif 000007
【図６】
2014154497.tif 000008
【図７】
2014154497.tif 000009
【図８】
2014154497.tif 000010
【図９】
2014154497.tif 000011
【図１０】
2014154497.tif 000012
【図１１】
2014154497.tif 000013